(57)【要約】【課題】空気調和機などの設備機器の不適切な稼働を抑制する。【解決手段】設備機器（１）は、検出手段（１３）と、報知手段（５３）とを備える。検出手段（１３）は、設備機器（１）の機器設定不良を検出する。報知手段（５３）は、検出手段（１３）の検出結果を報知する。【選択図】　　　　図４
2004044979.tif 000002
【特許請求の範囲】
【請求項１】
設備機器（１）の機器設定不良を検出する検出手段（１４）と、
前記検出手段の検出結果を報知する報知手段（５３）と、
を備える設備機器（１）。
【請求項２】
設備機器本体（１００）と、前記設備機器本体を操作する操作装置（５０）と、に分かれる設備機器であって、
前記検出手段（１４）は、前記設備機器本体（１００）に設けられ、
前記報知手段（５３）は、前記操作装置（５０）に設けられる、
請求項１に記載の設備機器（１）。
【請求項３】
前記報知手段（５３）が、設備機器（１）の試運転時に前記検出結果を報知する、
請求項１または２に記載の設備機器。
【請求項４】
室内機（２）と、室外機（３）と、前記室内機（２）と前記室外機（３）とを接続する冷媒配管（６）と、を有する空気調和機である請求項１から３のいずれかに記載の設備機器（１）であって、
前記機器設定不良は、前記冷媒配管（６）の長さの設定不良である、
設備機器（１）。
【請求項５】
加湿空気を生成する加湿装置（４）と、前記加湿空気を室内に吹き出す吹出部（１０）と、前記加湿装置（４）と前記吹出部（１０）とを接続する加湿配管（７）と、を有する空気調和機である請求項１から３のいずれかに記載の設備機器（１）であって、
前記加湿装置（４）は、前記加湿配管（７）を介して前記加湿装置から前記吹出部（１０）に対して前記加湿空気を送出する送出手段（４３，４５）を有し、
前記機器設定不良は、前記加湿配管（７）の長さの設定不良である、
請求項１から３のいずれかに記載の設備機器。
【請求項６】
設備機器（１）の機器設定不良を検出する設備機器本体（１００）と接続される前記設備機器（１）を操作するための操作装置であって、
前記機器設定不良の検出結果を取得する取得部（５２）と、
前記検出結果を報知する報知部（５３）と、
を備える操作装置（５０）。
【発明の詳細な説明】
【０００１】
【発明の属する技術分野】
本発明は、設備機器および報知装置、特に建物に設置される設備機器および報知装置に関する。
【０００２】
【従来の技術】
従来より、ビルや住宅などの建物に設置される設備機器（空気調和機、照明機器など）が知られている。例えば、特開平５−２６５４５号公報、特開平６−７４６２１号公報、特開２００１−３２４１９０号公報等に記載されるような空気調和機が知られている。近年、これらの設備機器であって、設置状況に応じて設備機器の稼働制御を変更することができる設備機器が提案されている。
【０００３】
例えば、加湿機能を備える空気調和機において、冷媒回路内の冷媒を圧縮する圧縮機と加湿空気を室内に送風する加湿ファンとを備えてるものがある。空気調和機は、暖房時に、室外機内で冷媒の圧縮と加湿空気の生成を行い、冷媒配管および加湿配管を介して室内機に加圧冷媒と加湿空気とを供給している。
このような空気調和機では、冷媒配管内を移動する際に冷媒の圧力が低下するため、室外機内の冷媒と比べて、室内機に送られた冷媒は温度が低下している。また、加湿配管内を移動する際に加湿空気の圧力が低下するため、室外機から室内機に対して送られる加湿空気の風量が低下している。これらの現象に鑑み、空気調和機は、配管長さに応じて圧縮機と加湿ファンとの稼働制御を変化させている。具体的には、設置担当者などは空気調和機に対して加湿配管長さや冷媒配管長さの設定を行い、空気調和機がこれらの設定を元にして圧縮機と加湿ファンとを稼働させている。
【０００４】
【発明が解決しようとする課題】
しかし、この空気調和機においては、設置担当者などがこれらの設定を間違えずに正確に行っているか又はこれらの設定を忘れていないか等の確認を行うことができない。このため、設置担当者がこれらの設定を誤って行っている又はこれらの設定を忘れている場合には、空気調和機は加湿配管長さや冷媒配管長さに応じて適切に圧縮機や加湿ファンを稼働させることができない。
【０００５】
本発明の課題は、空気調和機などの設備機器の不適切な稼働を抑制することにある。
【０００６】
【課題を解決するための手段】
請求項１に係る設備機器は、検出手段と、報知手段とを備える。検出手段は、設備機器の機器設定不良を検出する。報知手段は、検出手段の検出結果を報知する。
この設備機器では、検出手段が設備機器の機器設定不良を検出する。そして、検出手段の検出結果を報知手段が報知する。
【０００７】
ここでは、機器設定不良の検出結果を報知手段が報知する。このため、例えば設備機器の設置担当者などは、設備機器の機器設定不良の検出結果を確認することができる。機器設定不良がある場合には、機器設定不良を是正することができるため、設備機器を適切に稼働させることができる。
請求項２に係る設備機器は、請求項１に記載の設備機器であって、設備機器が設備機器本体と操作装置とを備える。設備機器本体は、検出手段を有する。操作装置は、設備機器を操作する。さらに、操作装置は報知手段を有する。
【０００８】
ここでは、操作装置が機器設定不良の検出結果を報知する報知手段を有する。このため、例えば設備機器の設置担当者などは、設備機器の機器設定不良の検出結果を操作装置により確認することができる。つまり、例えば設備機器の設置担当者などは、設備機器の操作と設備機器の機器設定不良の検出結果の確認とを操作装置のみを用いて行うことができる。その結果、機器設定不良を容易に確認し、機器設定不良がある場合には機器設定不良を是正することができる。よって、設備機器を適切に稼働させることができる。
【０００９】
請求項３に係る設備機器は、請求項１または２に記載の設備機器であって、報知手段が設備機器の試運転時に検出結果を報知する。
ここでは、報知手段が設備機器の試運転時に検出結果を報知する。そして、例えば設備機器の設置担当者などは、機器設定不良がある場合には機器設定不良を試運転時に是正することができる。このため、設備機器を実際に稼働させる前に機器設定不良の検出結果を確認することができる。その結果、機器設定不良がある場合には機器設定不良を是正することができるので、設備機器を適切に稼働させることができる。
【００１０】
請求項４に係る設備機器は、室内機と、室外機と、室内機と室外機とを接続する冷媒配管と、を有する空気調和機である請求項１から３のいずれかに記載の設備機器であって、機器設定不良は、冷媒配管の長さの不良である。
ここでは、冷媒配管の長さの設定不良が容易に確認される。このため、例えば設備機器の設置担当者などは、冷媒配管の長さの設定不良がある場合に、冷媒配管長さの設定不良を是正することができる。その結果、設備機器を適切に稼働させることができる。
【００１１】
請求項５に係る設備機器は、加湿空気を生成する加湿装置と、加湿空気を室内に吹き出す吹出部と、加湿装置と吹出部とを接続する加湿配管と、を有する空気調和機である請求項１から３のいずれかに記載の設備機器であって、加湿装置は送出手段を有する。送出手段は、加湿配管を介して加湿装置から吹出部に対して加湿空気を送出する。機器設定不良は、加湿配管の長さの設定不良である。
【００１２】
ここでは、加湿配管の長さの設定不良が容易に確認される。このため、例えば設備機器の設置担当者などは、加湿配管の長さの設定不良がある場合に、加湿配管長さの設定不良を是正することができる。その結果、設備機器を適切に稼働させることができる。
請求項６に係る操作装置は、設備機器の機器設定不良を検出する設備機器本体と接続される前記設備機器を操作するための操作装置であって、取得部と報知部とを備える。取得部は機器設定不良の検出結果を取得する。報知部は検出結果を報知する。
【００１３】
ここでは、取得部により取得される設備機器の機器設定不良の検出結果を報知部が報知する。このため、例えば設備機器の設置担当者などは、設備機器の機器設定不良の検出結果を操作装置により確認することができる。その結果、例えば設備機器の設置担当者などが機器設定不良を是正することができるため、設備機器を適切に稼働させることができる。
【００１４】
【発明の実施の形態】
＜空気調和機１の構成＞
本発明の一実施の形態に係る空気調和機１の概略構成を図１に示す。この空気調和機１は、空気調和機本体１００と、リモコン５０とを備えている。
＜空気調和機本体１００＞
空気調和機本体１００は、冷暖房や調湿が行われた調和空気を室内に送風し、室内の空気の調和を行う装置である。この空気調和機本体１００は、室内の壁面などに取り付けられる室内機２と、室外に設置される室外機３と備えている。室外機３は、室外熱交換器や室外ファンなどを収納する室外空調ユニット５と、加湿空気を室内機２に搬送する加湿ユニット４と、を備えている。
【００１５】
室内機２内には室内熱交換器が収納され、室外空調ユニット５内には室外熱交換器が収納されており、各熱交換器およびこれらの熱交換器を接続する冷媒配管６が、冷媒回路を構成している。また、加湿ユニット４と室内機２との間には、加湿ユニット４からの加湿空気を室内機２に供給するための加湿ホース７が設けられている。さらに、室内機２と加湿ユニット４との間には、加湿ユニット４の各部に電源供給を行うための電源ラインや室内機２からの信号などを送受信するための信号ラインなどを含む第１連絡電線８が加湿ホース７に付随して設けられている。
【００１６】
また、室内機２と室外空調ユニット５との間には、室外空調ユニット５の各部に電源供給を行うための電源ラインや室内機２からの信号などを送受信するための信号ラインなどを含む第２連絡電線９が冷媒配管６に付随して設けられている。
さらに、室内機２は、室内熱交換器により温度調節された空気や加湿ユニット４から供給される加湿空気などを室内に送出するための吹き出し口１０を備えている。
【００１７】
〔冷媒回路〕
空気調和機１で用いられる冷媒回路の系統図を図２に示す。
室内機２内には、室内熱交換器１１が設けられている。この室内熱交換器１１は、長さ方向両端で複数回折り返されている伝熱管と、伝熱管が挿し通される複数のフィンとから構成される。この室内熱交換器１１は、接触する空気との間で熱交換を行う。
【００１８】
また、室内機２内には、室内空気を吸い込んで室内熱交換器１１との間で熱交換を行った後の空気を室内に排出するためのクロスフローファン１２が設けられている。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられるファンモータ１３によって回転駆動される。
【００１９】
室外空調ユニット５には、圧縮機２１と、四路切換弁２２と、アキュムレータ２３と、室外熱交換器２４と、減圧器２５とが設けられている。四路切替弁２２は、圧縮機２１の吐出側に接続される。アキュムレータ２３は、圧縮機２１の吸入側に接続される。室外熱交換機２４は、四路切換弁２２に接続される。減圧機２５は、室外熱交換器２４に接続された電動膨張弁である。また、減圧器２５は、フィルタ２６および液閉鎖弁２７を介して配管３１に接続されており、現地配管３１を介して室内熱交換器１１の一端と接続される。さらに、四路切換弁２２は、ガス閉鎖弁２８を介して配管３２に接続されており、この配管３２を介して室内熱交換器１１の他端と接続されている。この配管３１，３２は図１の冷媒配管６に相当する。
【００２０】
室外空調ユニット５内には、室外熱交換器２４での熱交換後の空気を外部に排出するためのプロペラファン２９が設けられている。このプロペラファン２９は、ファンモータ３０によって回転駆動される。
〔加湿ユニット４の構成〕
加湿ユニット４の構成を図３を用いて説明する。
【００２１】
加湿ユニット４は、室外機３の上部に位置する加湿ユニットケーシング４０を備えている。この加湿ユニットケーシング４０内には、加湿ロータ４１、ヒータユニット４２、加湿ファン４３と、吸着ファン４４などが含まれている。
加湿ロータ４１は、空気が容易に通過できる構造となっている。また、加湿ロータ４１は、接触する空気中の水分を吸着し、加熱されることによって吸着した水分を脱着するように構成される。さらに、加湿ロータ４１は、ロータモータ（図示せず）により回転される。ヒータユニット４２は、加湿ロータ４１の上面の右側略半分４１ａを覆うように加湿ロータ４１の上方に取り付けられ、加湿ロータ４１の右側略半分４１ａを加熱する。さらに、ヒータユニット４２は、空気が容易に通過できる構造となっている。加湿ファン４３は、加湿ロータ４１の下方であって、加湿ロータ４１を挟んでヒータユニット４２と向き合う位置に配置されている。加湿ファン４３は、外気を加湿ユニットケーシング４０内に吸気し、加湿ロータ４１の略半分の部分を通過した空気を、加湿ホース７を介して室内機２へと供給する（空気流Ａ１）。この加湿ファン４３は、加湿ファンモータ４５により駆動される（図２参照）。吸着ファン４４は、吸着ファンモータ４６によって回転する遠心ファンであり（図２参照）、外気を吸気し、加湿ユニットケーシング４０の外部に向けて排気する（空気流Ａ２）。
【００２２】
〔加湿ユニット４の動作〕
このような加湿ユニット４では、外気が、吸着ファン４４により加湿ユニットケーシング４０内の略左側に取り入れられ、加湿ユニットケーシング４０外に排出される（空気流Ａ２）。この際、外気中に含まれる水分は、加湿ロータ４１の左側略半分４１ｂの部分に吸着される。そして、加湿ロータ４１が回転し、加湿ロータ４１の左側略半分４１ｂの部分が加湿ロータ４１の右側略半分４１ａと入れ替わる。次に、ヒータユニット４２により加湿ロータ４１が加熱され、加湿ロータ４１に吸着された水分が加湿ロータ４１付近の空気中に放出される。そして、加湿ファン４３が回転すると、外気が、加湿ユニットケーシング４０内の略右側に取り込まれ、ヒータユニット４２と加湿ロータ４１の右側略半分４１ａとを通過し、加湿ファン４３へと至る。そして、加湿ファン４３は、加湿ロータ４１を通り抜けてきた空気を、加湿ホース７と吹き出し口１０とを介して室内へと送出する。この室内へと送出される空気には、加湿ロータ４１から放出される水分が含まれるようになっている。
【００２３】
〔制御部〕
また、室内機２は、内部のプリント基板などに設けられる制御部１４により、加湿ユニット４および室外空調ユニット５を含む各部の動作を設定された運転モード（暖房、冷房、除湿、加湿、送風などのモード）に従って制御する。図４に制御部１４の概略構成図を示す。制御部１４は、リモコン５０から送信される信号を記憶する記憶手段１５と備えている。また、制御部１４は、ジャンパ１６と、通信ポート１７と、電圧センサ１８とに接続されている。ジャンパ１６は、冷媒配管６の長さを設定するために用いられる。ジャンパ１６が切断されている場合には、制御部１４は冷媒配管６の長さが１０メートル以上であると判断する。ジャンパ１６が切断されていない場合には、制御部１４は、冷媒配管６の長さが１０メートル以下であると判断する。通信ポート１７は、制御部１４とリモコン５０と間で信号の送受信を行う。電圧センサ１８は、加湿ホース７に付随する第１連絡電線８における加湿ユニット４と室内機２との間の電圧降下値と、冷媒配管６に付随する第２連絡電線９における室外空調ユニット５と室内機２との間の電圧降下値と、を測定する。さらに、制御部１は、第１連絡電線８の電圧降下値と第１連絡電線８の電気抵抗値とを元に、第１連絡電線８の長さを推定する。また、制御部１は、第２連絡電線９の電圧降下値と第２連絡電線９の電気抵抗値とを元に、第２連絡電線９の長さを推定する。
【００２４】
なお、本実施の形態では、冷媒配管６の長さの設定にジャンパ１６を用いているが、これに代えて、ディップスイッチなどを用いて冷媒配管６の長さの設定を行っても良い。
＜リモコン＞
この空気調和機１では、空気調和機１の制御信号を送信するリモコン５０により冷暖房や調湿などの空気調和機能を操作することができる。
【００２５】
リモコン５０は、図５に示すように、リモコン本体５１と、送受信ポート５２と、液晶画面５３と、ふた部５４と、操作ボタン５５と、を備えている。
送受信ポート５２は、リモコン本体５１の上端に設けられている。送受信ポート５２は、室内機２の通信ポート１７に対して信号を送受信する。
液晶画面５３は、リモコン５０の前面に設けられている。液晶画面５３には、操作内容の表示画面や、設定温度、設定湿度、風量などの設定などの各種設定画面がドットマトリックス形式で表示される。
【００２６】
ふた部５４は、リモコン本体５１の前面部の略下半分を覆うように開閉自在に設置される。
操作ボタン５５は、リモコン本体５１の前面であって、液晶画面５３の下方に設けられている。空気調和機１のユーザや設置担当者などは、操作ボタン５５を押すことにより、空気調和機本体１００の制御内容の選択を行うことができる。
【００２７】
なお、操作ボタン５５に代えてタッチパネル方式の液晶画面を用いて、液晶画面上に現れるボタン上の表示を押すことにより、各種の操作を行っても良い。
図６は、ふた部５４を開放したリモコン５０の外観図である。図６に示されるように、リモコン５０は、ふた部５４を開放した内部に、「すすむ」ボタン５６と「時計合わせ」ボタン５７とを備えている。「すすむ」ボタン５６と「時計合わせ」ボタン５７とは、加湿ホース７の長さの設定時および空気調和機１の試運転時に用いられる。
【００２８】
＜配管長さの設定＞
配管の長さの設定について、説明する。空気調和機１の設置終了後、空気調和機１の設置担当者は、配管長さの設定を以下のように行う。
（加湿ホース７の長さの設定）
まず、加湿ホース７の長さの設定について、図７および図８を参照して説明する。
【００２９】
はじめに、設置担当者は、加湿ホース７の長さを測定する（ステップＳ１０１）。次に、設置担当者は、リモコン５０に対して加湿ホース７の長さを入力する（ステップＳ１０２）。
具体的には、設置担当者は、リモコン５０の「時計合わせ」ボタン５７を５秒以上押す。そのとき、液晶画面５３には、図８（ａ）に示されるように、モード選択画面が表示される。次に、設置担当者は、「すすむ」ボタン５６を押し、「２．ホースチョウ」画面を液晶画面５３に表示させる（図８（ｂ））。そして、設置担当者は、再度、「時計合わせ」ボタン５７を押し、液晶画面５３に加湿ホース７の長さの設定画面を表示させる。この時点では、加湿ホース７の長さの設定は行われていないので、未設定である旨が液晶画面５３に表示される（図８（ｃ））。さらに、設置担当者が「すすむ」ボタン５６を押し進めると、設定可能な加湿ホース７の長さが液晶画面５３に表示される（図８（ｄ）、（ｅ））。設定可能である加湿ホース７の長さは、
・　４．０メートル以下
・　４．１メートル〜６．０メートル
・　６．１メートル〜７．０メートル
・　７．１メートル〜８．０メートル
・　８．１メートル〜９メートル
・　９．１メートル以上、
の６段階である。設置担当者は、先に測定した加湿ホース７の長さに当てはまる加湿ホース７の長さの範囲を液晶画面５３に表示させ、「時計合わせ」ボタン５７を押して加湿ホース７の長さの設定を行う。この際に、設置担当者は、リモコン５０の送受信ポート５２を空気調和機本体１００の通信ポート１７に向けた状態で、「時計合わせ」ボタン５７を押すことが望ましい。加湿ホース７の長さの設定が行われると、液晶画面５３に設定内容が表示される（図８（ｆ））。最後に、設置担当者は、再度、「時計合わせ」ボタン５７を５秒以上押し続け、加湿ホース７の長さの設定を終了する。
【００３０】
上記のように、設置担当者により入力・設定された加湿ホース７の長さ（以下、「設定加湿ホース長さ」という）は、リモコン５０の送受信ポート５２から室内機２の通信ポート１７に対して送信される（ステップＳ１０３）。通信ポート１７に受信された設定加湿ホース長さは、制御部１４に送信され、記憶手段１５に記憶される（ステップＳ１０４）。また、制御部１４は、この設定加湿ホース長さを元に、室内に適切な量の加湿空気を供給することができるように、加湿ファンモータ４５を回転させる（ステップＳ１０５）。
【００３１】
（冷媒配管６の長さの設定）
次に、冷媒配管６の長さの設定について説明する。（図９参照）
設置担当者は、冷媒配管６の長さを測定する（ステップＳ２０１）。設置担当者は、冷媒配管６の長さが１０メートル以上か否かを判断する（ステップ２１０２）。
【００３２】
冷媒配管６の長さが１０メートル以上の場合には、設置担当者は、室内機２内に設けられたジャンパ１６を切断する（ステップＳ２０３）。このジャンパ１６が切断されると、制御部１４は、冷媒配管６の長さが１０メートル以上であると判断し（ステップＳ２０４）、室内機２に適切な温度の冷媒を供給することができるように圧縮機２１を稼働させる（ステップＳ２０５）。
【００３３】
冷媒配管６の長さが１０メートル以下の場合には、設置担当者は、室内機２内に設けられたジャンパ１６を切断しない（ステップＳ２０６）。このジャンパ１６が切断されていない場合、制御部１４は、冷媒配管６の長さが１０メートル以下であると判断し（ステップＳ２０７）、室内機２に適切な圧力の冷媒を供給することができるように圧縮機２１を稼働させる（ステップＳ２０８）。以下、ジャンパが切断されている場合、設定冷媒配管長さは１０メートル以上であるとする。同様に、ジャンパが切断されていない場合、設定冷媒配管長さは、１０メートル以下であるとする。
【００３４】
＜設定不良の検出および報知＞
次に、空気調和機１の配管長さ設定不良の検出および報知について説明する。空気調和機１の設置後、設置担当者は、空気調和機１の試運転を行う。試運転は、空気調和機１が正常に稼働することを確認するために行われる。設置担当者は、リモコン５０の「時計合わせ」ボタン５７を５秒以上押す。そのとき、液晶画面５３には、上述の図８の（ａ）ようにモード選択画面が表示される。そして、設置担当者は、再度、「時計合わせ」ボタン５７を押し、空気調和機１の試運転を開始する（ステップＳ３０１およびステップＳ４０１）。
【００３５】
まず、加湿ホース７の長さの設定不良の検出および報知について説明する（図１０から図１３参照）。試運転の開始と同時に、空気調和機１の制御部１４は、加湿ホース７の長さの設定不良の有無を確認する。具体的には、制御部１４は、第１連絡電線８の電圧降下値と第１連絡電線８の電気抵抗値とを元に、第１連絡電線８の長さを推定する（ステップＳ３０２）。そして、制御部１４は、実際の加湿ホース７の長さが推定された第１連絡電線８の長さと等しいと判断する（ステップＳ３０３）。そして、制御部１４は、加湿ホース７の長さの設定がされているか否かを判断する（ステップＳ３０４）。
【００３６】
加湿ホース７の長さの設定が行われている場合には、次に、実際の加湿ホース７の長さが記憶手段１５に記憶される設定加湿ホース長さの範囲内であるか否かを判断する（ステップＳ３０５）。
実際の加湿ホース７の長さが設定加湿ホース長さの範囲内である場合には、制御部１４は、加湿ホース７の長さの設定が正しく行われていると判断する（ステップＳ３０６）。この場合には、制御部１４は、通信ポート１７を介して、その旨をリモコン５０に対して送信する（ステップＳ３０７）。そして、加湿ホース７の長さの設定が正しく行われている旨が、リモコン５０の液晶画面５３にドットマトリックスにより表示される（ステップＳ３０８）。設置担当者は、液晶画面５３の表示内容により、加湿ホース７の長さの設定が正しく行われていることを確認する（ステップＳ３０９）。
【００３７】
実際の加湿ホース７の長さが設定加湿ホース長さの範囲外である場合には、制御部１４は、加湿ホース７の長さの設定不良があると判断する（ステップＳ３１０）。この場合は、制御部１４は、加湿ホース７の長さの設定不良がある旨を通信ポート１７を介してリモコン５０に対して送信する（ステップＳ３１１）。そして、加湿ホース７の長さの設定不良のある旨が、リモコン５０の液晶画面５３にドットマトリックスにより表示される（ステップＳ３１２）。設置担当者は、液晶画面５３の表示内容により、加湿ホース７の長さの設定に不良があることを確認する（ステップＳ３１３）。そして、設置担当者は、再度、液晶画面５３の表示内容を元に加湿ホース７の長さの設定を行い（ステップＳ３１４）、空気調和機１の試運転を開始する（ステップＳ３１５）。
【００３８】
加湿ホース７の長さが設定されていない場合には、制御部１４は通信ポート１７を介してその旨をリモコン５０に対して送信する（ステップＳ３１６）。そして、加湿ホース７の長さの設定が行われていない旨が、リモコン５０の液晶画面５３にドットマトリックスにより表示される（ステップＳ３１７）。そして、設置担当者は、加湿ホース７の長さの設定を行う（ステップＳ３１８）。
【００３９】
次に、図１４から図１６を参照して、冷媒配管６の長さの設定不良の検出および報知について説明する。加湿ホース７の長さの設定不良の有無を確認するのと同時に、空気調和機１の制御部１４は、冷媒配管６の長さの設定不良の有無を確認する。具体的には、制御部１４は、第２連絡電線９の電圧降下値と第２連絡電線９の電気抵抗値とを元に、第２連絡電線９の長さを推定する（ステップＳ４０２）。そして、制御部１４は、実際の冷媒配管６の長さが推定された第２連絡電線９の長さと等しいと判断する（ステップＳ４０３）。制御部１４は、実際の冷媒配管６の長さが設定冷媒配管長さの範囲内であるか否かを判断する（ステップＳ４０４）。ジャンパ１６が切断されている場合、制御部１４は、設定冷媒配管長さが１０メートル以上であると判断する。ジャンパ１６が切断されていない場合、制御部１４は設定冷媒配管長さが１０メートル以下であると判断する。
【００４０】
実際の冷媒配管６の長さが設定冷媒配管長さの範囲内である場合、制御部１４は、冷媒配管６の長さの設定不良がないと判断する（ステップＳ４０５）。この場合には、制御部１４は、通信ポート１７を介して、その旨をリモコン５０に対して送信する（ステップＳ４０６）。そして、冷媒配管６の長さの設定不良のない旨が、リモコン５０の液晶画面５３にドットマトリックスにより表示される（ステップＳ４０７）。設置担当者は、液晶画面５３の表示内容により、冷媒配管６の長さの設定に不良がないことを確認する（ステップＳ４０８）。
【００４１】
実際の冷媒配管６の長さが設定冷媒配管長さの範囲外である場合、制御部１４は、冷媒配管６の長さの設定不良があると判断する（ステップＳ４０９）。この場合、制御部１４は、通信ポート１７を介して冷媒配管６の長さの設定に不良がある旨をリモコン５０に対して送信する（ステップＳ４１０）。そして、その旨が、リモコン５０の液晶画面５３にドットマトリックスにより表示される（ステップＳ４１１）。設置担当者は、液晶画面５３の表示内容により、冷媒配管６の長さの設定に不良があることを確認する（ステップＳ４１２）。そして、設置担当者は、ジャンパ１６が切断されているか否かを確認する（ステップＳ４１３）。ジャンパ１６が切断されているときには、設置担当者は、ジャンパ１６を接続する（ステップＳ４１４）。ジャンパ１６が接続されている場合には、設置担当者は、ジャンパ１６を切断する（ステップＳ４１５）。そして、設置担当者は、再度、空気調和機１の試運転を行い、冷媒配管６の長さの設定の不良がない旨を確認する（ステップＳ４１６）。
【００４２】
＜本空気調和機１の特徴＞
（１）
従来の空気調和機においては、設置担当者は、設定加湿ホース長さと実際の加湿ホースの長さとが異なっている否かを確認することができない。このため、加湿ホースの長さの設定が不良であっても、そのまま放置される場合がある。この場合、室内に供給される加湿空気の量が過不足となることがある。その結果、従来の空気調和機では、適切に稼働することができない場合がある。
【００４３】
しかし、この空気調和機１では、制御部１４が設定加湿ホース長さと実際の加湿ホース７の長さを比較する。そして、その比較結果がリモコン５０に表示される。このため、設置担当者は、加湿ホース７の長さの設定が正しく行われているか否かおよび加湿ホース７の設定が行われているか否かを確認することができる。よって、設置担当者は、加湿ホース７の長さを正しく設定することができる。このため、制御部１４は、その加湿ホース７の長さを元にして、室内の加湿に適切な量の加湿空気を提供できるように加湿ファンモータ４５を稼働させることができる。その結果、空気調和機１を適切に稼働することができる。
【００４４】
また、この空気調和機１では、冷媒配管６の長さの設定についても同様に、設置担当者は、冷媒配管６の長さの設定が正しく行われているか否かを確認することができる。よって、設置担当者は、冷媒配管６の長さを正しく設定することができる。制御部１４は、その冷媒配管６の長さを元にして、室内の温度調節に適切な温度の冷媒を室内熱交換器に提供できるように圧縮機２１を稼働させることができる。その結果、空気調和機１を適切に稼働することができる。
【００４５】
また、加湿ファンモータ４５が加湿ホース７の長さに比べて過度に稼働されることを抑制できる。このため、加湿ファンモータ４５が回転するときに発生する音および加湿空気が加湿ホース７内を通過するときに発生する音を抑制することができる。
（２）
この空気調和機１において、設置担当者は、リモコン５０の液晶画面５３で加湿ホース７と冷媒配管６との長さの設定が、正しく行われているか否かを確認することができる。このため、設置担当者は、空気調和機１の操作と配管長さの設定確認とをリモコン５０のみを用いて行うことができる。よって、配管長さの設定確認および設定不良時の是正が容易に行われるため、空気調和機１を適切に稼働することができる。
【００４６】
（３）
この空気調和機１において、配管長さの設定不良の検出および報知が試運転時に行われている。このため、ユーザが空気調和機１を実際に稼働させる前に、設置担当者が配管長さの設定確認および設定不良時の是正を行うことができる。その結果、空気調和機１を適切に稼働させることができる。
【００４７】
また、配管長さの設定不良を是正することは、ユーザには困難な作業である。しかし、この空気調和機１においては、配管長さの設定不良を是正することが可能な設置担当者が行う空気調和機１の試運転の際に、同時に配管長さの設定不良の確認および是正を行うので、配管長さの設定不良を容易に是正することができる。
【００４８】
（４）
この空気調和機１においては、配管長さの設定不良の検出結果が、ドットマトリックス形式でリモコン５０の液晶画面５３に表示される。このため、検出結果の表示内容が設置担当者にとって理解しやすい。
＜他の実施の形態＞
（ａ）
上記実施の形態では、配管長さの設定不良があった場合には、設定不良があった旨をリモコン５０の液晶画面５３に表示させるようにしている。これに代えて（もしくは加えて）、配管長さの設定不良の内容を液晶画面５３に表示させても良い。ここでいう、設定不良の内容とは、「制御部１４が認識する実際の加湿ホース７の長さはＸメートルであるが、設定された加湿ホース７の長さはＹメートルである」などの具体的な設定不良を示す内容である。
【００４９】
この場合、設置担当者は、設定不良がある場合には、その内容を確認することができる。このため、設置担当者が配管長さの設定を正しく行うことが容易になる。その結果、空気調和機１を適切に稼働させることができる。
（ｂ）
上記実施の形態では、配管長さの設定後、試運転時に配管長さの設定不良を検出および報知している。これに代えて、配管長さの設定後、直ちに、配管長さの設定不良を検出および報知してもよい。
【００５０】
この場合、空気調和機１の試運転を待たずに、配管長さの設定不良の有無が判明する。このため、設置担当者が、早期に、配管長さの設定を正しく行うことが容易になる。その結果、空気調和機１を適切に稼働させることができる。
また、配管長さの設定不良の検出および報知を通常運転時や定期検診時に行ってもよい。
【００５１】
（ｃ）
上記実施の形態では、配管長さの設定不良の有無をリモコン５０の液晶画面５３に表示して、設置担当者に報知している。これに代えて、（もしくは加えて）報知音を用いて配管長さの設定不良の有無を設置担当者に報知しても良い。
この場合、報知音により、設置担当者に配管長さの設定不良の有無が報知される。このため、設置担当者は、容易に配管長さの設定不良の有無を確認することができる。その結果、設置担当者は配管長さの設定を正しく行うことができるので、空気調和機１を適切に稼働させることができる。
【００５２】
（ｄ）
上記実施の形態では、配管長さの設定不良の有無をリモコン５０の液晶画面５３に表示している。これに代えて（もしくは加えて）、空気調和機本体１００の室内機２の外周面のいずれかに表示部を設け、この表示部上に配管長さの設定不良の有無を表示しても良い。
【００５３】
（ｅ）
上記実施の形態では、無線リモコン５０を用いて配管長さの設定不良の報知を行っている。これに代えて、建物内の複数の空気調和機を一括して操作するための有線の集中コントローラを用いて配管長さの設定不良を報知を行っても良い。
（ｆ）
上記実施の形態では、冷媒配管６長さの設定をジャンパ１６を用いて行っている。これに代えて、加湿ホース７長さの設定と同様に、リモコン５０を用いて行うようにしても良い。
【００５４】
（ｇ）
上記実施の形態では、加湿ホース７長さの設定をリモコン５０を用いて行っている。これに代えて、冷媒配管６長さの設定と同様に、ジャンパ１６を用いて行うようにしても良い。
（ｈ）
上記実施の形態では、加湿ホース７長さおよび冷媒配管８長さの設定確認を行っている。これに代えて（または加えて）、室外の空気を加工（加熱、冷却、除湿、加湿など）し、室内に取り込むための空気搬送配管を設け、この空気搬送配管の長さの設定を確認しても良い。また、室外の空気を加工せずにそのまま室内に取り込むための空気搬送配管を設け、この空気搬送配管の長さの設定を確認しても良い。
【００５５】
【発明の効果】
請求項１に係る発明では、機器設定不良の検出結果を報知手段が報知する。このため、例えば設備機器の設置担当者などは、設備機器の機器設定不良の検出結果を確認することができる。機器設定不良がある場合には、機器設定不良を是正することができるため、設備機器を適切に稼働させることができる。
【００５６】
請求項２に係る発明では、操作装置が機器設定不良の検出結果を報知する報知手段を有する。このため、例えば設備機器の設置担当者などは、設備機器の機器設定不良の検出結果を操作装置により確認することができる。つまり、例えば設備機器の設置担当者などは、設備機器の操作と設備機器の機器設定不良の検出結果の確認とを操作装置のみを用いて行うことができる。その結果、機器設定不良を容易に確認し、機器設定不良がある場合には機器設定不良を是正することができる。よって、設備機器を適切に稼働させることができる。
【００５７】
請求項３に係る発明では、報知手段が設備機器の試運転時に検出結果を報知する。そして、例えば設備機器の設置担当者などは、機器設定不良がある場合には機器設定不良を試運転時に是正することができる。このため、設備機器を実際に稼働させる前に機器設定不良の検出結果を確認することができる。その結果、機器設定不良がある場合には機器設定不良を是正することができるので、設備機器を適切に稼働させることができる。
【００５８】
請求項４に係る発明では、冷媒配管の長さの設定不良が容易に確認される。このため、例えば設備機器の設置担当者などは、冷媒配管の長さの設定不良がある場合に、冷媒配管長さの設定不良を是正することができる。その結果、設備機器を適切に稼働させることができる。
請求項５に係る発明では、加湿配管の長さの設定不良が容易に確認される。このため、例えば設備機器の設置担当者などは、加湿配管の長さの設定不良がある場合に、加湿配管長さの設定不良を是正することができる。その結果、設備機器を適切に稼働させることができる。
【００５９】
請求項６に係る発明では、取得部により取得される設備機器の機器設定不良の検出結果を報知部が報知する。このため、例えば設備機器の設置担当者などは、設備機器の機器設定不良の検出結果を操作装置により確認することができる。その結果、例えば設備機器の設置担当者などが機器設定不良を是正することができるため、設備機器を適切に稼働させることができる。
【図面の簡単な説明】
【図１】本発明の一実施の形態に係る空気調和機の概略構成図。
【図２】冷媒回路の系統図。
【図３】加湿ユニットの構成図。
【図４】制御部の概略構成図。
【図５】リモコンの外観図。
【図６】ふた部を開放したリモコンの外観図。
【図７】加湿ホースの長さを設定する際のフローチャート。
【図８】
液晶画面の表示内容図。
【図９】
冷媒配管の長さを設定する際のフローチャート。
【図１０】
加湿ホースの長さの設定不良を検出および報知する際のフローチャートの一部
。
【図１１】
加湿ホースの長さの設定不良を検出および報知する際のフローチャートの一部
。
【図１２】
加湿ホースの長さの設定不良を検出および報知する際のフローチャートの一部
。
【図１３】
加湿ホースの長さの設定不良を検出および報知する際のフローチャートの一部
。
【図１４】
冷媒配管の長さの設定不良を検出および報知する際のフローチャートの一部。
【図１５】
冷媒配管の長さの設定不良を検出および報知する際のフローチャートの一部。
【図１６】
冷媒配管の長さの設定不良を検出および報知する際のフローチャートの一部。
【符号の説明】
１　　　　空気調和機（設備機器）
２　　　　室内機
３　　　　室外機
４　　　　加湿ユニット（加湿装置）
６　　　　冷媒配管
７　　　　加湿ホース（加湿配管）
１０　　　吹き出し口（送出部）
１４　　　制御部（検出手段）
４３　　　加湿ファン（送出手段）
４５　　　加湿ファンモータ（送出手段）
５０　　　リモコン（操作装置）
５２　　　送受信ポート（取得部）
５３　　　液晶画面（報知部）
１００　　空気調和機本体（設備機器本体）
【図１】
2004044979.tif 000003
【図２】
2004044979.tif 000004
【図３】
2004044979.tif 000005
【図４】
2004044979.tif 000006
【図５】
2004044979.tif 000007
【図６】
2004044979.tif 000008
【図７】
2004044979.tif 000009
【図８】
2004044979.tif 000010
【図９】
2004044979.tif 000011
【図１０】
2004044979.tif 000012
【図１１】
2004044979.tif 000013
【図１２】
2004044979.tif 000014
【図１３】
2004044979.tif 000015
【図１４】
2004044979.tif 000016
【図１５】
2004044979.tif 000017
【図１６】
2004044979.tif 000018